(57)【要約】【課題】受信したＧＮＳＳ信号の品質を向上させながら、受信動作を安定化させる技術を提供する。【解決手段】制御部２８は、フィルタ１８を通過した信号を増幅部２０に入力させた状態において、本受信装置１００が静止状態から移動状態に変わった場合に、入力部１２において受けつけた信号を増幅部２０に入力させる。制御部２８は、入力部１２において受けつけた信号を増幅部２０に入力させた状態における消費電流の大きさがしきい値よりも大きい場合、フィルタ１８を通過した信号を増幅部２０に入力させる。【選択図】図１
2020048096.tif 000002
【特許請求の範囲】
【請求項１】
信号を受けつける入力部と、
前記入力部において受けつけた信号のうち、一部の帯域幅の信号を通過させるフィルタと、
前記フィルタを通過した信号あるいは前記入力部において受けつけた信号を増幅する増幅部と、
前記増幅部において増幅した信号を処理する処理部と、
前記増幅部の消費電流の大きさを測定する測定部と、
前記測定部において測定した消費電流の大きさをもとに、前記フィルタを通過した信号を前記増幅部に入力させるか、前記入力部において受けつけた信号を前記増幅部に入力させるかを制御する制御部と、を備え、
前記制御部は、（１）前記フィルタを通過した信号を前記増幅部に入力させた状態において、本受信装置が静止状態から移動状態に変わった場合に、前記入力部において受けつけた信号を前記増幅部に入力させるようにし、（２）前記入力部において受けつけた信号を前記増幅部に入力させた状態における消費電流の大きさがしきい値よりも大きい場合、前記フィルタを通過した信号を前記増幅部に入力させるようにすることを特徴とする受信装置。
【請求項２】
前記処理部は、本受信装置の位置情報を測位するための処理を実行しており、本受信装置が静止状態である場合に、測位した位置情報を記憶してから、記憶した位置情報を出力し続けることを特徴とする請求項１に記載の受信装置。
【請求項３】
前記フィルタは、第１フィルタと第２フィルタとを含み、
前記制御部は、しきい値として、第１しきい値と第２しきい値とを保持し、
前記制御部は、前記入力部において受けつけた信号を前記増幅部に入力させた状態における消費電流の大きさが第１しきい値よりも大きい場合、前記第１フィルタを通過した信号を前記増幅部に入力させ、
前記制御部は、前記第１フィルタを通過した信号を前記増幅部に入力させた状態における消費電流の大きさが第２しきい値よりも大きい場合、前記第１フィルタおよび前記第２フィルタを続けて通過した信号を前記増幅部に入力させることを特徴とする請求項１または２に記載の受信装置。
【請求項４】
前記制御部は、前記フィルタを通過した信号を前記増幅部に入力させた状態における消費電流の大きさが別のしきい値よりも大きい場合、前記入力部において受けつけた信号を前記増幅部に入力させるように戻すことを特徴とする請求項１または２に記載の受信装置。
【請求項５】
信号を受けつける入力部と、
前記入力部において受けつけた信号のうち、一部の帯域幅の信号を通過させるフィルタと、
前記フィルタを通過した信号あるいは前記入力部において受けつけた信号を増幅する増幅部と、
前記増幅部において増幅した信号を処理する処理部と、
前記増幅部の消費電流の大きさを測定する測定部と、
前記測定部において測定した消費電流の大きさをもとに、前記フィルタを通過した信号を前記増幅部に入力させるか、前記入力部において受けつけた信号を前記増幅部に入力させるかを制御する制御部と、
前記入力部において入力される信号とは別の信号を入力する追加入力部と、
前記追加入力部において入力した信号を処理する追加処理部とを備え、
前記制御部は、（１）本受信装置が静止状態から移動状態に変わった場合に、前記入力部において受けつけた信号を前記増幅部に入力させた状態における消費電流の大きさがしきい値よりも大きく、かつ前記追加処理部において処理される別の信号の強度が増加すれば、前記フィルタを通過した信号を前記増幅部に入力させるようにし、（２）前記フィルタを通過した信号を前記増幅部に入力させた状態において、前記追加処理部において処理される別の信号の強度が減少すれば、前記入力部において受けつけた信号を前記増幅部に入力させるようにすることを特徴とする受信装置。
【発明の詳細な説明】
【技術分野】
【０００１】
本発明は、受信技術に関し、特に信号を受信する受信装置に関する。
【背景技術】
【０００２】
ＧＮＳＳ（Ｇｌｏｂａｌ  Ｎａｖｉｇａｔｉｏｎ  Ｓａｔｅｌｌｉｔｅ  Ｓｙｓｔｅｍ）信号を受信するポータブルデバイスにおいて、例えば位置ロケーションサービスのようなワイヤレス通信サービスを利用する場合、高品質な信号受信技術によってＧＮＳＳ信号を受信することが要求される。また、無線端末においては、ＧＮＳＳ受信部とセルラ送信部が共存する場合が想定される。この場合、セルラ帯域における強い無線周波数信号がＧＮＳＳ受信機のフロントエンドに出現しうる。そのような強い無線周波数信号は、ＧＮＳＳ信号受信を妨害し、干渉を与える。この干渉の影響を低減するために、表面弾性波（ＳＡＷ：Ｓｕｒｆａｃｅ  Ａｃｏｕｓｔｉｃ  Ｗａｖｅ）フィルタのようなバンドパスフィルタ（Ｂａｎｄ  Ｐａｓｓ  Ｆｉｌｔｅｒ）がＧＮＳＳ受信機に含まれる。しかしながら、ＳＡＷフィルタによって、ＧＮＳＳ信号の受信感度が低下する。このようなことを鑑み、セルラ送信部の送信電力がしきい値を上まわる場合に、フィルタを挿入し、送信電力がしきい値以下となる場合に、フィルタを挿入しない技術が開示されている（例えば、特許文献１参照）。
【先行技術文献】
【特許文献】
【０００３】
【特許文献１】国際公開第１３／００３８１８号
【発明の概要】
【発明が解決しようとする課題】
【０００４】
セルラ送信部の送信電力がしきい値を上まわる場合としきい値以下となる場合とが頻繁に切り替わる場合、フィルタの挿入と非挿入との状態が頻繁に切りかえられる。このような動作により、ＧＮＳＳ信号のレベルが大きく変わる場合があり、受信動作の安定性が低下しうる。
【０００５】
本発明はこうした状況に鑑みてなされたものであり、その目的は、受信したＧＮＳＳ信号の品質を向上させながら、受信動作を安定化させる技術を提供することである。
【課題を解決するための手段】
【０００６】
上記課題を解決するために、本発明のある態様の受信装置は、信号を受けつける入力部と、入力部において受けつけた信号のうち、一部の帯域幅の信号を通過させるフィルタと、フィルタを通過した信号あるいは入力部において受けつけた信号を増幅する増幅部と、増幅部において増幅した信号を処理する処理部と、増幅部の消費電流の大きさを測定する測定部と、測定部において測定した消費電流の大きさをもとに、フィルタを通過した信号を増幅部に入力させるか、入力部において受けつけた信号を増幅部に入力させるかを制御する制御部と、を備える。制御部は、（１）フィルタを通過した信号を増幅部に入力させた状態において、本受信装置が静止状態から移動状態に変わった場合に、入力部において受けつけた信号を増幅部に入力させるようにし、（２）入力部において受けつけた信号を増幅部に入力させた状態における消費電流の大きさがしきい値よりも大きい場合、フィルタを通過した信号を増幅部に入力させるようにする。
【０００７】
本発明の別の態様もまた、受信装置である。この装置は、信号を受けつける入力部と、入力部において受けつけた信号のうち、一部の帯域幅の信号を通過させるフィルタと、フィルタを通過した信号あるいは入力部において受けつけた信号を増幅する増幅部と、増幅部において増幅した信号を処理する処理部と、増幅部の消費電流の大きさを測定する測定部と、測定部において測定した消費電流の大きさをもとに、フィルタを通過した信号を増幅部に入力させるか、入力部において受けつけた信号を増幅部に入力させるかを制御する制御部と、入力部において入力される信号とは別の信号を入力する追加入力部と、追加入力部において入力した信号を処理する追加処理部とを備える。制御部は、（１）本受信装置が静止状態から移動状態に変わった場合に、入力部において受けつけた信号を増幅部に入力させた状態における消費電流の大きさがしきい値よりも大きく、かつ追加処理部において処理される別の信号の強度が増加すれば、フィルタを通過した信号を増幅部に入力させるようにし、（２）フィルタを通過した信号を増幅部に入力させた状態において、追加処理部において処理される別の信号の強度が減少すれば、入力部において受けつけた信号を増幅部に入力させるようにする。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、受信したＧＮＳＳ信号の品質を向上させながら、受信動作を安定化できる。
【図面の簡単な説明】
【００１０】
【図１】実施例１に係る受信装置の構成を示す図である。
【図２】図１の受信装置による受信手順を示すフローチャートである。
【図３】図１の受信装置による切替手順を示すフローチャートである。
【図４】実施例２に係る受信装置の構成を示す図である。
【図５】実施例３に係る通信装置の構成を示す図である。
【図６】図５の通信装置による切替手順を示すフローチャートである。
【図７】図５の通信装置による別の切替手順を示すフローチャートである。
【発明を実施するための形態】
【００１１】
（実施例１）
本発明を具体的に説明する前に、まず概要を述べる。本発明の実施例１は、ＧＮＳＳ信号のような信号を受信する受信装置に関する。ＧＮＳＳ信号を受信する場合に、ＧＮＳＳ以外のシステムにおいて使用される信号の１／ｎ倍波等の強い妨害波がアンテナから入力されると、ＬＮＡ（Ｌｏｗ  Ｎｏｉｓｅ  Ａｍｐｌｉｆｉｅｒ）の飽和による非線形性からＧＮＳＳ信号の周波数帯に高調波が発生する。この高調波により、受信したＧＮＳＳ信号の品質が悪化する。ＧＮＳＳ信号の受信における妨害波耐性を向上させるために、アンテナとＬＮＡとの間にＳＡＷフィルタ等のフィルタが配置される。
【００１２】
特に、フィルタの多段化により、ＬＮＡの飽和耐性が向上することによって、妨害波耐性が向上する。しかしながら、フィルタの多段化によりＧＮＳＳ信号の通過帯域の損失が増加する。その結果、フィルタの多段化によりＧＮＳＳ信号を通常受信している場合の受信Ｃ／Ｎ（Ｃａｒｒｉｅｒ  ｔｏ  Ｎｏｉｓｅ  ｒａｔｉｏ）が低下する。受信Ｃ／Ｎの低下を抑制するために、フィルタの構成は最小限にする必要がある。つまり、ＧＮＳＳ信号を受信する場合の受信Ｃ／Ｎ向上と妨害波耐性向上はトレードオフの関係である。
【００１３】
ここで、アンテナの近くのＬＮＡに入力されるＧＮＳＳ信号のパワーは通常小さい。そのため、飽和する様なパワーのＧＮＳＳ信号は一般的に受信されない。このような状況において、妨害波の影響を受けていると、ＬＮＡの電流が増加する。つまり、ＬＮＡの電流が増加する状態は異常状態であるといえる。
【００１４】
そのため、本実施例に係る受信装置は、ＬＮＡの消費電流の大きさを監視し、消費電流の大きさがしきい値よりも大きい場合にフィルタを追加する。一方、受信装置は、消費電流の大きさがしきい値以下である場合にフィルタを追加しない。フィルタを追加した構成と、フィルタを追加していない構成とが頻繁に切り替わることを防止するために、受信装置は、フィルタを追加した構成において、静止状態から動作状態に変わった場合に、フィルタを外して、ＬＮＡの消費電流の大きさを再度監視する。消費電流の大きさがしきい値以下である場合に、受信装置は、フィルタを外したままを維持する。一方、消費電流の大きさがしきい値より大きい場合にフィルタを再び追加する。
【００１５】
図１は、受信装置１００の構成を示す。受信装置１００は、アンテナ１０、入力部１２、第１スイッチ１４、第２スイッチ１６、フィルタ１８、増幅部２０、処理部２２、抵抗２４、測定部２６、制御部２８を含み、制御部２８は、判定部３０を含む。受信装置１００は、ＧＮＳＳに対応した装置である。アンテナ１０は、信号を受信する。アンテナ１０において受信すべき信号は、ＧＮＳＳ信号であるが、前述のごとく、ＧＮＳＳ以外のシステムにおいて使用される信号の１／ｎ倍波等の妨害波を含むこともある。ＧＮＳＳ以外のシステムの一例は、セルラシステムである。入力部１２は、アンテナ１０において受信した信号を受けつける。
【００１６】
第１スイッチ１４は、一端側において入力部１２に接続され、他端側において第２スイッチ１６、フィルタ１８に接続される。第２スイッチ１６は、一端側において第１スイッチ１４、フィルタ１８に接続され、他端側において増幅部２０に接続される。フィルタ１８は、第１スイッチ１４と第２スイッチ１６との間に配置される。フィルタ１８は、帯域通過フィルタであり、ＧＮＳＳ信号の帯域を通過させる。第１スイッチ１４と第２スイッチ１６は、制御部２８からの制御に応じて、連動して動作する。
【００１７】
例えば、第１スイッチ１４と第２スイッチ１６は、直接接続されたり（以下、「第１接続状態」という）、フィルタ１８を介して接続されたりする（以下、「第２接続状態」という）。第１接続状態において、第１スイッチ１４は、入力部１２からの信号を第２スイッチ１６に出力する。第２接続状態において、第１スイッチ１４は、入力部１２からの信号をフィルタ１８に出力し、フィルタ１８は、受けつけた信号のうちの一部の帯域幅の信号を通過させ、その結果を第２スイッチ１６に出力する。初期状態においては第１接続状態にされている。第２スイッチ１６は、第２スイッチ１６からの信号を増幅部２０に出力する。
【００１８】
増幅部２０は、ＬＮＡであり、第２スイッチ１６からの信号を増幅する。そのため、フィルタ１８を通過した信号、あるいは入力部１２において受けつけられフィルタ１８を通過していない信号が増幅される。増幅部２０は、増幅した信号を処理部２２に出力する。処理部２２は、増幅部２０において増幅された信号を受けつける。処理部２２は、受けつけた信号を処理する。受信装置１００がＧＮＳＳに対応した装置である場合、処理部２２は、処理として受信装置１００の位置情報を測位する。受信装置１００の位置を測位するための処理には公知の技術が使用されればよいので、ここでは説明を省略する。
【００１９】
抵抗２４は増幅部２０に接続され、抵抗２４には増幅部２０の電流が流れる。測定部２６は、抵抗２４における電位差を測定することによって、増幅部２０の消費電流の大きさを測定する。測定部２６は、測定した消費電流の大きさを制御部２８に順次出力する。制御部２８は、測定部２６において測定した消費電流の大きさを順次受けつける。前述のごとく、アンテナ１０がＧＮＳＳ信号だけを受信していれば、第１接続状態であっても、増幅部２０に入力される信号のパワーは通常小さい。例えば、−１３０ｄＢｍ程度である。増幅部２０が飽和する様なＧＮＳＳ信号、例えば、−２０ｄＢｍ程度のＧＮＳＳ信号は増幅部２０に入力されない。ここで、増幅部２０に入力される信号のパワーが大きくなるにつれて増幅部２０を流れる消費電流の大きさは増加する。つまり、近辺または高出力ＧＮＳＳ関連周波数の無線装置で送信された妨害波の影響を受けている異常状態になると、増幅部２０を流れる消費電流の大きさが増加する。
【００２０】
制御部２８は、第１接続状態における消費電流の大きさがしきい値よりも大きい場合、第１接続状態を第２接続状態に変更するように、第１スイッチ１４、第２スイッチ１６を切りかえる。切替により、増幅部２０には、フィルタ１８を通過した信号が入力される。一方、制御部２８は、第１接続状態における消費電流の大きさがしきい値以下である場合、第１接続状態を維持する。つまり、制御部２８は、測定部２６において測定した消費電流の大きさをもとに、フィルタ１８を通過した信号あるいはフィルタ１８を通過していない信号を増幅部２０に入力させる。
【００２１】
第２接続状態に変更した後、判定部３０は、処理部２２から位置情報を順次受けつける。受けつけた位置情報は一定間隔で並ぶ。判定部３０は、連続して受けつけた位置情報間の差分値を導出する。差分値は、受信装置１００の移動速度に応じた値を示す。判定部３０は、差分値が所定の値（以下、「静止状態判定用しきい値」という）よりも小さい場合、受信装置１００が静止状態であると判定する。一方、判定部３０は、差分値が静止状態判定用しきい値以上である場合、受信装置１００が移動状態であると判定する。
【００２２】
制御部２８は、判定部３０において静止状態であると判定された場合、そのときの位置情報を処理部２２に記憶させる。処理部２２は、静止状態が継続する間にわたって、記憶した位置情報を出力し続ける。なお、その状況においても、処理部２２は、位置情報の測位を継続し、位置情報を判定部３０に出力し続ける。一方、制御部２８は、判定部３０において移動状態であると判定された場合、測位した位置情報を処理部２２に出力させる。
【００２３】
制御部２８は、判定部３０における判定結果が静止状態から移動状態に変わった場合、第２接続状態を第１接続状態に変更するように、第１スイッチ１４、第２スイッチ１６を切りかえる。つまり、制御部２８は、第２接続状態において、本受信装置１００が静止状態から移動状態に変わった場合に、フィルタ１８を通過していない信号を増幅部２０に入力させる。測定部２６は、第１接続状態において増幅部２０の消費電流の大きさを測定する。制御部２８は、第１接続状態における消費電流の大きさがしきい値よりも大きい場合、第１接続状態を第２接続状態に戻すように、第１スイッチ１４、第２スイッチ１６を切りかえる。切替により、増幅部２０には、フィルタ１８を通過した信号が再び入力される。一方、制御部２８は、第１接続状態における消費電流の大きさがしきい値以下である場合、第１接続状態を維持させるために、第１スイッチ１４、第２スイッチ１６をそのまま維持する。これにより、増幅部２０には、フィルタ１８を通過していない信号が入力され続ける。
【００２４】
第１スイッチ１４、第２スイッチ１６が、第１接続状態から第２接続状態に切りかわった後、測定部２６は、第２接続状態における消費電流の大きさを測定してもよい。制御部２８は、第２接続状態における消費電流の大きさが別のしきい値よりも大きい場合、第２接続状態を第１接続状態に戻すように、第１スイッチ１４、第２スイッチ１６を切りかえる。切替によって、増幅部２０には、フィルタ１８を通過していない信号が入力される。フィルタ１８を使用しても増幅部２０の消費電流の大きさが大きい場合、異常状態の原因は、妨害波でない、もしくは組み込まれたフィルタでは防ぎきれないレベルの妨害波があるといえるからである。
【００２５】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
以上の構成による受信装置１００の動作を説明する。図２は、受信装置１００による受信手順を示すフローチャートである。測定部２６は、増幅部２０の消費電流の大きさを測定する（Ｓ１０）。消費電流の大きさがしきい値よりも大きくなければ（Ｓ１２のＮ）、処理部２２は、測位を実行し（Ｓ１４）、位置情報を出力して（Ｓ１６）、ステップ１０に戻る。消費電流の大きさがしきい値よりも大きければ（Ｓ１２のＹ）、制御部２８は、フィルタ１８有りに切りかえる（Ｓ１８）。判定部３０が静止状態であると判定した場合（Ｓ２０のＹ）、位置情報が記憶済でなければ（Ｓ２２のＮ）、処理部２２は、測位を実行し（Ｓ２４）、位置情報を記憶して（Ｓ２６）、位置情報を出力する（Ｓ２８）。位置情報が記憶済であれば（Ｓ２２のＹ）、処理部２２は位置情報を出力する（Ｓ２８）。これに続いて、ステップ２０に戻る。
【００２７】
判定部３０が静止状態でないと判定した場合（Ｓ２０のＮ）、前回も移動状態であれば（Ｓ３０のＹ）、処理部２２は、測位を実行し（Ｓ３２）、位置情報を出力する（Ｓ３４）。これに続いて、ステップ２０に戻る。前回が移動状態でなければ（Ｓ３０のＮ）、処理部２２は位置情報を破棄し（Ｓ３６）、制御部２８はフィルタ１８無しに切りかえて（Ｓ３８）、ステップ１０に戻る。
【００２８】
図３は、受信装置１００による切替手順を示すフローチャートである。制御部２８は、フィルタ１８有りに切りかえる（Ｓ５０）。測定部２６は、増幅部２０の消費電流の大きさを測定する（Ｓ５２）。消費電流の大きさがしきい値よりも大きければ（Ｓ５４のＹ）、制御部２８は、フィルタ１８無しに切りかえる（Ｓ５６）。消費電流の大きさがしきい値よりも大きくなければ（Ｓ５４のＮ）、ステップ５６をスキップする。
【００２９】
本実施例によれば、第１接続状態における消費電流の大きさがしきい値よりも大きい場合、第２接続状態に切りかえるので、妨害波による影響を低減できる。また、第１接続状態における消費電流の大きさがしきい値以下である場合、第１接続状態を維持するので、受信Ｃ／Ｎの低下を抑制できる。また、第２接続状態において、静止状態から移動状態に変わった場合に、第１接続状態に戻して消費電流の大きさを測定するので、消費電流の大きさの測定機会を制限できる。また、第１接続状態における消費電流の大きさがしきい値よりも大きい場合、第２接続状態に戻すので、妨害波による影響を引き続き低減できる。また、第１接続状態における消費電流の大きさがしきい値以下である場合、第１接続状態を維持するので、第２接続状態を第１接続状態に切りかえることができる。
【００３０】
また、第１接続状態を第２接続状態に変えた後、静止状態から移動状態に変わった場合に、第１接続状態に戻す機会を制限するので、受信した信号の品質を向上させながら、受信動作を安定化できる。また、第２接続状態において静止状態であれば、記憶した位置情報を出力し続けるので、位置情報の揺らぎを防止できる。また、第２接続状態における消費電流の大きさが別のしきい値よりも大きい場合、第１接続状態に戻すので、妨害波による影響でない場合、もしくは組み込まれたフィルタでは防ぎきれないレベルの妨害波がある場合に受信Ｃ／Ｎの低下を抑制できる。
【００３１】
（実施例２）
次に、実施例２を説明する。実施例２は、実施例１と同様に、ＧＮＳＳ信号のような信号を受信する受信装置において、ＬＮＡの消費電流の大きさを監視し、消費電流の大きさがしきい値よりも大きい場合にフィルタを追加する。実施例１では、フィルタを追加する、あるいはフィルタを追加しないのどちらかだけが選択されているが、実施例２では、フィルタが多段構成を有し、フィルタの数が調節される。実施例２に係る受信装置１００は、図１と同様のタイプである。ここでは、実施例１との差異を中心に説明する。
【００３２】
図４は、受信装置１００の構成を示す。これは、図１における第１スイッチ１４と第２スイッチ１６とに挟まれた部分の構成に対応し、残りの部分は図１と同一であるので省略される。図１において、第１スイッチ１４と第２スイッチ１６との間には、フィルタ１８だけが含まれる。一方、図４において、第１スイッチ１４と第２スイッチ１６との間には、第１フィルタ４０、中間スイッチ４２、第２フィルタ４４が含まれる。第１スイッチ１４は、一端側において入力部１２（図示せず）に接続され、他端側において第２スイッチ１６、第１フィルタ４０に接続される。中間スイッチ４２は、一端側において第１フィルタ４０に接続され、他端側において第２スイッチ１６、第２フィルタ４４に接続される。第２スイッチ１６は、一端側において第１スイッチ１４、中間スイッチ４２、第２フィルタ４４に接続され、他端側において増幅部２０（図示せず）に接続される。
【００３３】
そのため、第１フィルタ４０は、第１スイッチ１４と中間スイッチ４２との間に配置され、第２フィルタ４４は、中間スイッチ４２と第２スイッチ１６との間に配置される。第１フィルタ４０、中間スイッチ４２は、帯域通過フィルタであり、ＧＮＳＳ信号の帯域を通過させる。これらの特性は同一であってもよく、異なっていてもよい。第１スイッチ１４と第２スイッチ１６と中間スイッチ４２は、制御部２８からの制御に応じて、連動して動作する。
【００３４】
例えば、第１スイッチ１４と第２スイッチ１６は、直接接続されたり（以下、「第１接続状態」という）、第１フィルタ４０と中間スイッチ４２とを介して接続されたり（以下、「第２−１接続状態」という）、第１フィルタ４０と中間スイッチ４２と第２フィルタ４４とを介して接続される（以下、「第２−２接続状態」という）。第１接続状態において、第１スイッチ１４は、入力部１２からの信号を第２スイッチ１６に出力する。第２−１接続状態において、第１スイッチ１４は、入力部１２からの信号を第１フィルタ４０に出力し、第１フィルタ４０は、受けつけた信号のうちの一部の帯域幅の信号を通過させ、その結果を中間スイッチ４２経由で第２スイッチ１６に出力する。
【００３５】
第２−２接続状態において、第１スイッチ１４は、入力部１２からの信号を第１フィルタ４０に出力し、第１フィルタ４０は、受けつけた信号のうちの一部の帯域幅の信号を通過させ、その結果を中間スイッチ４２経由で第２フィルタ４４に出力する。第２フィルタ４４は、受けつけた信号のうちの一部の帯域幅の信号を通過させ、その結果を第２スイッチ１６に出力する。ここでも、初期状態においては第１接続状態にされている。
【００３６】
制御部２８は、しきい値として、第１しきい値と第２しきい値とを保持する。ここで、第１しきい値と第２しきい値とは同一の値でもよい。制御部２８は、第１接続状態における消費電流の大きさが第１しきい値よりも大きい場合、第１接続状態を第２−１接続状態に変更するように、第１スイッチ１４、中間スイッチ４２、第２スイッチ１６を切りかえる。切替により、増幅部２０には、第１フィルタ４０を通過した信号が入力される。一方、制御部２８は、第１接続状態における消費電流の大きさがしきい値以下である場合、第１接続状態を維持する。
【００３７】
制御部２８は、第２−１接続状態における消費電流の大きさが第２しきい値よりも大きい場合、第２−１接続状態を第２−２接続状態に変更するように、中間スイッチ４２、第２スイッチ１６を切りかえる。切替により、増幅部２０には、第１フィルタ４０および第２フィルタ４４を続けて通過した信号が入力される。一方、制御部２８は、第２−１接続状態における消費電流の大きさが第２しきい値以下である場合、第２−１接続状態を維持する。
【００３８】
第２−１接続状態あるいは第２−２接続状態に変更した後、判定部３０は、処理部２２から順次受けつけた位置情報をもとに、受信装置１００が静止状態であるか、受信装置１００が移動状態であるかを判定する。判定部３０において静止状態であると判定された場合、あるいは判定部３０において移動状態であると判定された場合における制御部２８、処理部２２の処理は、これまでと同一である。また、判定部３０における判定結果が静止状態から移動状態に変わった場合における制御部２８の処理も、これまでと同一である。
【００３９】
本実施例によれば、増幅部における消費電流の大きさに応じて、第２−１接続状態と第２−２接続状態とを切りかえるので、受信Ｃ／Ｎの低下を抑制しながら、妨害波の影響を抑制できる。
【００４０】
（実施例３）
次に、実施例３を説明する。実施例３は、これまでと同様に、ＧＮＳＳ信号のような信号を受信する通信装置において、ＬＮＡの消費電流の大きさを監視し、消費電流の大きさがしきい値よりも大きい場合にフィルタを追加する。フィルタを追加することによって妨害波の影響を低減している場合、ＬＮＡの消費電流は一般的に正常な値となる。これまでは、静止状態から動作状態に変わった場合に、フィルタを外して、ＬＮＡの消費電流の大きさを再度監視している。一方、妨害波の影響がもととも小さい環境においては、受信Ｃ／Ｎを考慮すると、フィルタが追加されない方が好ましい。実施例３は、フィルタを追加している状況において、フィルタの追加が不要であると判定する機会を増加することを目的とする。これに対応するために、実施例３の通信装置には、ＧＮＳＳ信号の妨害波となりうる信号を送受信する通信システム、例えばセルラに対応した通信回路も含まれる。通信装置は、ＬＮＡの消費電流の大きさだけではなく、通信回路において受信される信号の強度も利用して、フィルタの追加あるいはフィルタの追加不要を決定する。ここでは、これまでとの差異を中心に説明する。
【００４１】
図５は、通信装置２００の構成を示す。通信装置２００は、図１に示した受信装置１００に加えて、追加アンテナ５０、追加入力部５２、追加処理部５４を含む。追加アンテナ５０は、ＧＮＳＳ以外のシステム、例えば、セルラ等の通信システムにおける信号を送受信する。当該信号は、１／ｎ倍波等がＧＮＳＳ信号の妨害波となりうる周波数を有する。以下では、追加アンテナ５０から信号を送信する場合の説明を省略し、追加アンテナ５０において信号を受信する場合を説明の対象にする。
【００４２】
追加入力部５２は、一端側において、追加アンテナ５０に接続されるとともに、他端側において追加処理部５４に接続され、追加アンテナ５０において受信した信号を入力する。追加処理部５４は、追加入力部５２において入力した信号を処理する。例えば、追加処理部５４は、受信強度の測定機能、増幅機能、復調機能等を実行する。受信機能の測定機能は、追加アンテナ５０において受信した信号の強度を測定する。測定される強度は、例えば、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）として示される。追加入力部５２は、測定した強度を制御部２８に出力する。
【００４３】
制御部２８は、第１接続状態において、判定部３０における判定結果が静止状態から移動状態に変わった場合、第１接続状態における消費電流の大きさと、追加処理部５４において測定された信号の強度とを確認する。制御部２８は、消費電流の大きさがしきい値よりも大きく、かつ信号の強度が増加すれば、消費電流と信号の強度とが同期している状態（以下、「同期状態」という）であると判定する。一方、制御部２８は、消費電流の大きさがしきい値よりも大きく、かつ信号の強度が増加しなければ、消費電流と信号の強度とが同期していない状態（以下、「非同期状態」という）であると判定する。同期状態では、追加アンテナ５０で受信した信号と同一の電波により、増幅部２０の消費電流が増加している可能性が高いといえる。つまり、消費電流の増加は、別の信号か、別の信号のスプリアス（高調波や他周波との相互変調ひずみ等による）か、別の信号の発射源起因のノイズによるものかと推定される。また、制御部２８は、同期状態であるか、非同期状態であるかにかかわらず、消費電流の大きさがしきい値よりも大きい場合、第１接続状態を第２接続状態に変更するように、第１スイッチ１４、第２スイッチ１６を切りかえる。
【００４４】
制御部２８は、第２接続状態において、非同期状態と判定されていれば、実施例１において説明した処理を実行する。一方、制御部２８は、第２接続状態において、同期状態と判定されていれば、追加処理部５４において測定された信号の強度を確認する。制御部２８は、信号の強度が減少すれば、第２接続状態を第１接続状態に変更するように、第１スイッチ１４、第２スイッチ１６を切りかえる。ここで、追加処理部５４において測定された信号の強度が増加あるいは減少する場合には、時間の経過にともなって信号の強度が相対的に増加あるいは減少する場合、信号の強度が所定の値よりも大きくなったり、小さくなったりする場合が含まれてもよい。
【００４５】
以上の構成による通信装置２００の動作を説明する。図６は、通信装置２００による切替手順を示すフローチャートである。制御部２８は、フィルタ１８無しを設定する（Ｓ１００）。測定部２６は、増幅部２０の消費電流の大きさを測定する（Ｓ１０２）。追加処理部５４は、ＲＳＳＩを測定する（Ｓ１０４）。消費電流の大きさがしきい値よりも大きく（Ｓ１０６のＹ）、かつＲＳＳＩも増加した場合（Ｓ１０８のＹ）、制御部２８は同期状態であると判定する（Ｓ１１０）。ＲＳＳＩが増加しない場合（Ｓ１０８のＮ）、制御部２８は非同期状態であると判定する（Ｓ１１２）。制御部２８はフィルタ１８有りに切りかえる（Ｓ１１４）。消費電流の大きさがしきい値よりも大きくない場合（Ｓ１０６のＮ）、処理は終了される。
【００４６】
図７は、通信装置２００による別の切替手順を示すフローチャートである。制御部２８は、フィルタ１８有りを設定する（Ｓ１５０）。同期状態である場合（Ｓ１５２のＹ）、追加処理部５４は、ＲＳＳＩを測定する（Ｓ１５４）。ＲＳＳＩが減少すれば（Ｓ１５６のＹ）、制御部２８は、フィルタ１８無しに切りかえる（Ｓ１５８）。ＲＳＳＩが減少しなければ（Ｓ１５６のＮ）、処理は終了される。同期状態でない場合（Ｓ１５２のＮ）、実施例１の処理が実行される（Ｓ１６０）。
【００４７】
本実施例によれば、消費電流と信号の強度が同期している場合に、信号の強度をもとに、第２接続状態を第１接続状態に変更するので、第１接続状態を長くできる。また、第１接続状態が長くなるので、受信Ｃ／Ｎを改善できる。
【００４８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４９】
実施例１から３における判定部３０は、位置情報をもとに、受信装置１００が静止状態であるか、移動状態であるかを判定している。しかしながらこれに限らず例えば、判定部３０は、受信装置１００に搭載されたセンサにおいて取得した値をもとに、受信装置１００が静止状態であるか、移動状態であるかを判定してもよい。センサは、例えば、加速度センサ、ジャイロセンサ、気圧センサ、車速センサである。本変形例によれば、構成の自由度を向上できる。
【符号の説明】
【００５０】
１０  アンテナ、  １２  入力部、  １４  第１スイッチ、  １６  第２スイッチ、  １８  フィルタ、  ２０  増幅部、  ２２  処理部、  ２４  抵抗、  ２６  測定部、  ２８  制御部、  ３０  判定部、１００  受信装置。
【図１】
2020048096.tif 000003
【図２】
2020048096.tif 000004
【図３】
2020048096.tif 000005
【図４】
2020048096.tif 000006
【図５】
2020048096.tif 000007
【図６】
2020048096.tif 000008
【図７】
2020048096.tif 000009